(57)【特許請求の範囲】
【請求項１】
ディスクを収容可能であり、該ディスクに対して光ピックアップによる記録又は再生が行われるロード状態と、前記ディスクを挿入又は排出するアンロード状態とに配置可能なトレーと、
前記トレーに設置され、前記光ピックアップを制御する集積回路を少なくとも含む発熱部品と、
前記トレーがロード状態に配置された場合、前記発熱部品と接触しつつ、当該発熱部品から熱を受け取ると共に、前記トレーがアンロード状態に配置された場合、前記発熱部品と接触しない熱伝導部品と
を備えることを特徴とするディスクドライブ装置。
【請求項２】
前記熱伝導部品は、弾性体であり、
前記発熱部品は、前記熱伝導部品から付勢力を受けつつ、前記熱伝導部品と接触することを特徴とする請求項１に記載のディスクドライブ装置。
【請求項３】
前記発熱部品及び前記熱伝導部品のうち少なくとも一方は、前記熱伝導部品と比較して熱伝導率の大きな部材によって包まれていることを特徴とする請求項１又は２に記載のディスクドライブ装置。
【請求項４】
前記発熱部品及び前記熱伝導部品のうち少なくとも一方は、前記熱伝導部品と比較して熱伝導率の大きな材料が塗布若しくは貼り付けされていることを特徴とする請求項１から３のうちいずれか一項に記載のディスクドライブ装置。
【請求項５】
前記熱伝導部品は、所定の場所を支点として可動であると共に、前記発熱部品を挟持可能な形状をしており、
前記発熱部品は、前記熱伝導部品から挟持力を受けつつ、前記熱伝導部品と接触することを特徴とする請求項１から４のうちいずれか一項に記載のディスクドライブ装置。
【請求項６】
前記熱伝導部品は、弾性体であると共に、前記発熱部品を格納する動作を利用して、前記発熱部品を挟持可能な形状をしており、
前記発熱部品は、前記熱伝導部品から付勢力を受けつつ、前記熱伝導部品と接触することを特徴とする請求項１から４のうちいずれか一項に記載のディスクドライブ装置。
【請求項７】
前記トレーを格納可能であると共に、前記熱伝導部品から熱を受け取ることが可能なケースを更に有し、
前記熱伝導部品は、前記ケースに設置されていることを特徴とする請求項１から６のうちいずれか一項に記載のディスクドライブ装置。
【請求項８】
前記ケースは、切り欠き部分を更に備え、
前記発熱部品は、前記熱伝導部品として、前記切り欠き部分と接触することを特徴とする請求項７に記載のディスクドライブ装置。
【請求項９】
ディスクを収容可能であり、該ディスクに対して光ピックアップによる記録又は再生が行われるロード状態と、前記ディスクを挿入又は排出するアンロード状態とに配置可能なトレーと、該トレーに設置され前記光ピックアップを制御する集積回路を少なくとも含む発熱部品と、該発熱部品と接触しつつ当該発熱部品から熱を受け取る熱伝導部品とを備えたディスクドライブ装置を制御するディスクドライブ装置制御方法であって、
前記トレーがロード状態に配置された場合、前記発熱部品と前記熱伝導部品を接触させる接触工程と、
前記熱伝導部品によって、前記発熱部品から熱を受け取らしめる熱伝導工程と
を備えることを特徴とするディスクドライブ装置制御方法。
【発明の詳細な説明】
【技術分野】
【０００１】
本発明は、例えば光ディスク等の情報記録媒体に対して記録又は再生を行うために用いられる光ピックアップを制御する集積回路等の発熱部品の温度上昇を低減することが可能なディスクドライブ装置、及び該ディスクドライブ装置の制御方法の技術分野に関する。
【背景技術】
【０００２】
従来、例えば薄型が望まれるノート型パソコンの内蔵用ディスクドライブ装置として採用されているドロワー（引き出し：Drawer）型ディスクドライブ装置の一具体例においては、大別して、（ｉ）ディスクの排出又は挿入方向に摺動されるトレー（ディスクトレー）、及び（ｉｉ）該トレーを収容可能なケースによって構成されている。【０００３】
詳細には、（ｉ）トレーには、例えば、光ピックアップ、スピンドルモータ、及び、中継基板が搭載されている。この中継基板は、各種アクチュエータと、これら各種のアクチュエータを制御する集積回路（ＩＣ：Integrated Circuit：以下、適宜「制御ＩＣ」と称す）との間における各種信号の入出力の中継を行う。他方、（ｉｉ）ケースには、中継基板と各種信号の入出力を行う本体基板、及び例えばホストコンピュータへの出力部等のインターフェースが設けられている。特に、この本体基板には制御ＩＣが設けられている。この制御ＩＣは、例えば放熱シート等を介して、熱容量の大きいケースに接地されているので、放熱効果を比較的高くすることが可能である。【０００４】
しかしながら、このディスクドライブ装置の一具体例においては、制御ＩＣと、光ピックアップ等のアクチュエータとを接続するケーブル等の信号ラインが長いため、信号が減衰しやすく、ＳＮ比（Signal to Noise ratio）が良好ではなくなってしまう。そのため、例えばＤＶＤ等の光ディスクに対して、例えば２から４倍速等の低速記録しか行うことできない。【０００５】
そこで、次のように構成されるドロワー型のディスクドライブ装置の他の具体例も考案されている。詳細には、（ｉ）トレーには、例えば、光ピックアップ、スピンドルモータ、及び、これらと各種信号の入出力を行う本体基板が搭載されている。特に、この本体基板には制御ＩＣが設置されている。他方、（ｉｉ）ケースには、前述したインターフェースが設けられている。【０００６】
このディスクドライブ装置の他の具体例においては、制御ＩＣと、光ピックアップ等のアクチュエータとを接続する信号ラインが短いため、信号が減衰しにくく、ＳＮ比を良好することができる。そのため、例えばＤＶＤ等の光ディスクに対して、例えば８から１６倍速以上の高速記録が可能である。加えて、トレーと共に可動する制御ＩＣからの放熱効果を高めるために、トレーの底部において、例えば放熱板等を取り付けて放熱を行う方法が考案されている。【０００７】
また、例えばファン等によって制御ＩＣや光ピックアップ等を強制的に冷却する方法も考案されている。【０００８】
【特許文献１】特開２００３−３４６３７１号公報
【特許文献２】特開平９−１８５８３５号公報
【発明の開示】
【発明が解決しようとする課題】
【０００９】
しかしながら、上述したディスクドライブ装置の他の具体例では、ケースに接地され、熱容量の大きいケース全体に対して放熱するディスクドライブ装置の一具体例と比較して、放熱効果は低くなってしまうという技術的な問題点がある。また、ファン等によって強制的に冷却する方法では、省スペース化、及び低コスト化の実現が困難であると共に、ファン等の回転する騒音は、ユーザの快適な使用環境を損なってしまうという技術的な問題点もある。【００１０】
そこで本発明は、例えば上述した問題点に鑑みなされたものであり、例えば光ピックアップを制御する集積回路等の発熱部品から効率良く放熱させることを可能ならしめるディスクドライブ装置、及び該ディスクドライブ装置の制御方法を提供することを課題とする。
【課題を解決するための手段】
【００１１】
（ディスクドライブ装置）
本発明のディスクドライブ装置は上記課題を解決するために、ディスクを収容可能であり、該ディスクに対して光ピックアップによる記録又は再生が行われるロード状態（発熱状態）と、前記ディスクを挿入又は排出するアンロード状態（非発熱状態）とに配置可能なトレーと、前記トレーに設置され、前記光ピックアップを制御する集積回路を少なくとも含む発熱部品と、前記トレーがロード状態（発熱状態）に配置された場合、前記発熱部品と接触しつつ、当該発熱部品から熱を受け取る熱伝導部品とを備える。【００１２】
本発明のディスクドライブ装置によれば、例えばＤＶＤ−ＲやＤＶＤ−ＲＯＭ等のディスクがトレーに収容され、このディスクに対して光ピックアップによる記録又は再生が行われるロード状態においては、発熱部品の発熱量は増大する。詳細には、光ピックアップに搭載される半導体レーザ自身の消費電力が増大し、発熱量も増大する。加えて、この光ピックアップを制御する制御ＩＣにおける発熱量も増大する。【００１３】
特に、本発明においては、トレーがロード状態に配置された場合、発熱部品は、熱伝導部品と接触する。ここに、本願発明に係る「接触」とは、例えば発熱部品が可動である場合、当該発熱部品が、固定された熱伝導部品へ向かって手動や電動等により移動し、平面や点において触れることである。或いは、例えば発熱部品が固定されている場合、可動である熱伝導部品が手動や電動等により固定された発熱部品へ向かって移動し、平面や点において触れることであるようにしてもよい。尚、熱伝導部品を構成する材料としては、例えば、銅、グラファイト、及び銀等を用いるか、若しくはアルミニウムの合金が用いられるようにしてもよい。また、熱伝導部品は、放熱性を有すものでもよいし、吸熱性を有するものでもよい。言い換えると何らかの形で熱を受け取ることが可能であればよい。【００１４】
仮に、トレーの底部において、例えば放熱板等を取り付けて放熱を行った場合、熱伝導部品を介して、例えば熱容量の大きいケース全体に対して放熱される場合と比較して、放熱効果は低くなってしまう。【００１５】
これに対して本発明によれば、可動する発熱部品が少なくとも発熱する場合において、当該発熱部品と熱伝導部品とをより適切な配置において接触させ、発熱部品の放熱性をより高めることが可能となる。加えて、例えばドロワー型ディスクドライブ装置等の薄型形状のより小さな空間において、空気対流に頼ることなく、発熱部品の放熱性をより高めることが可能となる。【００１６】
本発明のディスクドライブ装置の一の態様は、前記熱伝導部品は、前記トレーがアンロード状態（非発熱状態）に配置された場合、前記発熱部品と接触しない。【００１７】
この態様によれば、熱伝導部品は、トレーがロード状態になる場合に限り、熱を受け取る。従って、熱伝導部品の配置レイアウトの自由度を高めることができる。【００１８】
本発明のディスクドライブ装置の他の態様は、前記熱伝導部品は、弾性体であり、前記発熱部品は、前記熱伝導部品から付勢力を受けつつ、前記熱伝導部品と接触する。【００１９】
この態様によれば、熱伝導部品は、ロード状態又はアンロード状態へ遷移するトレーと、該トレーに設置された発熱部品とを、例えば弾性力等の付勢力によって、より確実に固定することができる。【００２０】
本発明のディスクドライブ装置の他の態様は、前記発熱部品及び前記熱伝導部品のうち少なくとも一方は、前記熱伝導部品と比較して熱伝導率の大きな部材（例えば制御ＩＣ等の発熱部品を覆うカバー等）によって包まれている。【００２１】
この態様によれば、発熱部品からの放熱性をより高めることが可能となる。【００２２】
本発明のディスクドライブ装置の他の態様は、前記発熱部品及び前記熱伝導部品のうち少なくとも一方は、前記熱伝導部品と比較して熱伝導率の大きな材料（例えばグリースやシリコン等）が塗布若しくは貼り付けされている。【００２３】
この態様によれば、発熱部品からの放熱性をより高めることが可能となる。【００２４】
本発明のディスクドライブ装置の他の態様は、前記熱伝導部品は、所定の場所を支点として可動であると共に、前記発熱部品を挟持可能な形状をしており、前記発熱部品は、前記熱伝導部品から挟持力を受けつつ、前記熱伝導部品と接触する。【００２５】
この態様によれば、熱伝導部品は、ロード状態又はアンロード状態へ遷移するトレーと、該トレーに設置された発熱部品とを、例えば挟持したり支持する等の機構的な動作によって、より確実に固定することができる。【００２６】
本発明のディスクドライブ装置の他の態様は、前記熱伝導部品は、弾性体であると共に、前記発熱部品を格納する動作を利用して、前記発熱部品を挟持可能な形状をしており、前記発熱部品は、前記熱伝導部品から付勢力を受けつつ、前記熱伝導部品と接触する。【００２７】
この態様によれば、熱伝導部品は、発熱部品を格納する際に、ロード状態へ遷移するトレーと、該トレーに設置された発熱部品とを、例えば弾性力等の付勢力によって、より確実に固定することができる。【００２８】
本発明のディスクドライブ装置の他の態様は、前記トレーを格納可能であると共に、前記熱伝導部品から熱を受け取ることが可能なケースを更に有し、前記熱伝導部品は、前記ケースに設置されている。【００２９】
この態様によれば、ケースの熱伝導率を、熱伝導部品の熱伝導率より大きくなるように構成し、放熱性をより高めることが可能となる。また、ケースは、熱伝導部品を固定することで、ロード状態又はアンロード状態へ遷移するトレーを、間接的に、より確実に固定することができる。【００３０】
このケースに係る態様によれば、前記ケースは、切り欠き部分を更に備え、前記発熱部品は、前記熱伝導部品として、前記切り欠き部分と接触するするように構成してもよい。【００３１】
このように構成すれば、ディスクドライブ装置における部品点数を少なくすることができる。従って、低コスト化、及び、部品の取り付け誤りの防止を実現することができる。【００３２】
（ディスクドライブ装置の制御方法）
本発明のディスクドライブ装置の制御方法は上記課題を解決するために、ディスクを収容可能であり、該ディスクに対して光ピックアップによる記録又は再生が行われるロード状態（発熱状態）と、前記ディスクを挿入又は排出するアンロード状態（非発熱状態）とに配置可能なトレーと、該トレーに設置され前記光ピックアップを制御する集積回路を少なくとも含む発熱部品と、該発熱部品と接触しつつ当該発熱部品から熱を受け取る熱伝導部品とを備えたディスクドライブ装置を制御するディスクドライブ装置制御方法であって、前記トレーがロード状態（発熱状態）に配置された場合、前記発熱部品と前記熱伝導部品を接触させる接触工程と、前記熱伝導部品によって、前記発熱部品から熱を受け取らしめる熱伝導工程とを備える。【００３３】
本発明のディスクドライブ装置の制御方法によれば、上述した本発明のディスドライブ装置が有する各種利益を享受することが可能となる。【００３４】
尚、上述した本発明のディスクドライブ装置が有する各種態様に対応して、本発明のディスクドライブ装置の制御方法も各種態様を採ることが可能である。【００３５】
本発明のこのような作用及び他の利得は次に説明する実施例から更に明らかにされる。【００３６】
以上説明したように、本発明のディスクドライブ装置は、トレー、発熱部品、及び熱伝導部品を備える。従って、相対的に動く発熱部品（光ピックアップを制御する集積回路等）と、熱伝導部品とをより適切に接触させ、発熱部品の放熱性をより高めることが可能となる。また、本発明のディスクドライブ装置の制御方法は、接触工程、及び熱伝導工程を備える。従って、相対的に動く発熱部品（光ピックアップを制御する集積回路等）と、熱伝導部品とをより適切に接触させ、発熱部品の放熱性をより高めることが可能となる。
【図面の簡単な説明】
【００３７】
【図１】本発明のディスクドライブ装置に係る第１実施例のアンロード状態（図１（ａ）から図１（ｄ）へ遷移）からロード状態へ遷移するトレー及びケースの相対的な位置関係を図式的に示した外観斜視図である。
【図２】本発明のディスクドライブ装置に係る第１実施例のアンロード状態（図２（ａ））と、ロード状態（図２（ｂ））とにおけるトレー及びケースの相対的な位置関係を図式的に示した全体的断面図である。
【図３】本発明のディスクドライブ装置に係る第１実施例のアンロード状態（図３（ａ））と、ロード状態（図３（ｂ））とにおけるトレー及びケースの相対的な位置関係を図式的に示した部分的断面図である。
【図４】本発明のディスクドライブ装置に係る第２実施例のアンロード状態（図４（ａ））と、ロード状態（図４（ｂ））とにおけるトレー及びケースの相対的な位置関係を図式的に示した部分的断面図である。
【図５】本発明のディスクドライブ装置に係る第３実施例のアンロード状態（図５（ａ））と、ロード状態（図５（ｂ））とにおけるトレー及びケースの相対的な位置関係を図式的に示した部分的断面図である。
【図６】本発明のディスクドライブ装置に係る第４実施例のアンロード状態（図６（ａ））と、ロード状態（図６（ｂ））とにおけるトレー及びケースの相対的な位置関係を図式的に示した部分的断面図である。
【図７】本発明のディスクドライブ装置に係る第４実施例の他の具体例に係るアンロード状態と、ロード状態とにおけるトレー及びケースの相対的な位置関係を図式的に示した水平断面図（図７（ａ）、及び図７（ｂ））、並びにロード状態におけるトレー及びケースの相対的な位置関係を図式的に示した垂直断面図（図７（ｃ））である。
【図８】本発明のディスクドライブ装置に係る第５実施例のアンロード状態（図８（ａ））と、ロード状態（図８（ｂ））とにおけるトレー及びケースの相対的な位置関係を図式的に示した部分的断面図である。
【符号の説明】
【００３８】
１００…ディスクドライブ装置、１０１…トレー、１０２…駆動ユニット、１０３…熱伝導部品、１０４…ケース、１０４ａ…切り欠き部、３０１…弾性部、４０１…カバー、４０２…弾性部、５０１…挟持部、５０２…支点
【発明を実施するための最良の形態】
【００３９】
以下、本発明を実施するための最良の形態について実施例毎に順に図面に基づいて説明する。【００４０】
以下、図面を参照して、本発明の実施例について説明する。【００４１】
（１）  ディスクドライブ装置の第１実施例
（１−１）  基本構成
先ず、図１から図３を参照しながら、本発明のディスクドライブ装置に係る第１実施例の基本構成について説明する。ここに、図１は、本発明のディスクドライブ装置に係る第１実施例のアンロード状態（図１（ａ）から図１（ｄ）へ遷移）からロード状態へ遷移するトレー及びケースの相対的な位置関係を図式的に示した外観斜視図である。図２は、本発明のディスクドライブ装置に係る第１実施例のアンロード状態（図２（ａ））と、ロード状態（図２（ｂ））とにおけるトレー及びケースの相対的な位置関係を図式的に示した全体的断面図である。図３は、本発明のディスクドライブ装置に係る第１実施例のアンロード状態（図３（ａ））と、ロード状態（図３（ｂ））とにおけるトレー及びケースの相対的な位置関係を図式的に示した部分的断面図である。尚、本実施例においては、本発明のディスクドライブ装置の一具体例として、例えば発熱部品等が集約された駆動ユニットが搭載されているドロワー（引き出し：Drawer）型ディスクドライブ装置について説明する。詳細には、この駆動ユニットにおいては、例えば光ピックアップ、スピンドルモータ、及び、これらの各種アクチュエータを制御する集積回路（Integrated Circuit：以下、適宜「制御ＩＣ」と称す）等の発熱部品が集約されているように構成してもよい。【００４２】
図１から図３に示されるように、本発明のディスクドライブ装置１００に係る第１実施例は、例えば光ディスク等の情報記録媒体を収容可能なトレー１０１、該トレーに搭載されている駆動ユニット１０２、該駆動ユニットより放熱性の高い、即ち、該駆動ユニットより熱伝導率の高い熱伝導部品１０３、及び該熱伝導部品を固定可能なケース１０４を備えて構成されている。尚、熱伝導部品１０３を構成する材料としては、例えば、銅、グラファイト、及び銀等を用いるか、若しくはアルミニウムの合金が用いられるようにしてもよい。また、熱伝導部品は、放熱性を有すものでもよいし、吸熱性を有するものでもよい。言い換えると何らかの形で熱を受け取ることが可能であればよい。また、ケース１０４は、熱伝導部品１０３と同等であるか、若しくは、この熱伝導部品１０３より放熱性の高い、即ち、該熱伝導部品より熱伝導率の高いように構成されていることが望ましい。【００４３】
（１−２）動作原理
次に、前述した図１から図３を参照して、本発明のディスクドライブ装置に係る第１実施例の動作原理について説明する。【００４４】
図１（ａ）、図２（ａ）及び図３（ａ）に示されるように、トレー１０１とケース１０４との相対的位置関係が、例えば図示しない光ディスク等を挿入又は排出するアンロード状態である場合、トレー１０１の底面に搭載された駆動ユニット１０２は、熱伝導部品１０３と接触していない。尚、本発明に係る「発熱部品」の一例を構成する駆動ユニット１０２には、前述したように、例えば光ピックアップ、スピンドルモータ、及び、これらの各種アクチュエータを制御する制御ＩＣ等の複数の発熱部品が集約されている。また、このアンロード状態においては、例えば光ディスクに対して光ピックアップによる記録又は再生は行われていないので、駆動ユニット１０２が発熱していないのは言うまでもない。【００４５】
続いて、図１（ｂ）及び図１（ｃ）に示されるように、トレー１０１とケース１０４との相対的位置関係が、アンロード状態から、例えば光ディスクに対して記録又は再生が行われるロード状態へ遷移する。【００４６】
続いて、図１（ｄ）、図２（ｂ）及び図３（ｂ）に示されるように、トレー１０１とケース１０４との相対的位置関係が、例えば光ディスク等に対して記録又は再生が行われるロード状態である場合、トレー１０１に搭載された駆動ユニット１０２の底面の大部分は、熱伝導部品１０３と接触することができる。より具体的には、駆動ユニット１０２が、固定された熱伝導部品１０３へ向かって手動や電動等により移動し、平面や点においてこの熱伝導部品１０３と触れることができる。【００４７】
特に、このロード状態においては、例えば光ディスクに対して光ピックアップによる記録又は再生は行われているので、駆動ユニット１０２は発熱している。【００４８】
その結果、駆動ユニット１０２から、該駆動ユニットより熱伝導率の高い熱伝導部品１０３へと放熱される（図２（ｂ）及び図３（ｂ）における下向き矢印を参照）。【００４９】
また、駆動ユニット１０２と、熱伝導部品が接触する面において、例えば、グリースやシリコン等の熱伝導部品１０３と比較して熱伝導率の大きな材料が塗布されている、若しくは、貼り付けられているように構成されていてもよい。【００５０】
（２）  ディスクドライブ装置の第２実施例
（２−１）  構成及び動作原理
次に、図４を参照しながら、本発明のディスクドライブ装置に係る第２実施例の構成及び動作原理について説明する。ここに、図４は、本発明のディスクドライブ装置に係る第２実施例のアンロード状態（図４（ａ））と、ロード状態（図４（ｂ））とにおけるトレー及びケースの相対的な位置関係を図式的に示した部分的断面図である。第２実施例に係る構成については、第１実施例と概ね同様である。【００５１】
特に、第２実施例においては、図４（ａ）及び図４（ｂ）に示されるように、本発明の「切り欠き部分」の一例を構成する切り欠き部１０４ａを備えて構成されている。【００５２】
従って、図４（ｂ）に示されるように、トレー１０１とケース１０４との相対的位置関係が、例えば光ディスク等に対して記録又は再生が行われるロード状態である場合、トレー１０１に搭載された駆動ユニット１０２の底面の大部分は、切り欠き部１０４ａと接触することができる。【００５３】
その結果、駆動ユニット１０２から、該駆動ユニットより熱伝導率の高い切り欠き部１０４ａへと放熱される（図４（ｂ）における下向き矢印を参照）。【００５４】
特に、第２実施例においては、ケースの一部である切り欠き部１０４ａを利用して、駆動ユニット１２０から放熱させるので、追加部品が必要ないのでコストの低減を実現することが可能となる。【００５５】
（３）  ディスクドライブ装置の第３実施例
（３−１）  構成及び動作原理
次に、図５を参照しながら、本発明のディスクドライブ装置に係る第３実施例の構成及び動作原理について説明する。ここに、図５は、本発明のディスクドライブ装置に係る第３実施例のアンロード状態（図５（ａ））と、ロード状態（図５（ｂ））とにおけるトレー及びケースの相対的な位置関係を図式的に示した部分的断面図である。第３実施例に係る構成については、第１実施例と概ね同様である。【００５６】
特に、第３実施例においては、図５（ａ）及び図５（ｂ）に示されるように、本発明の「弾性体」の一例を構成する弾性部３０１を備えて構成されている。【００５７】
従って、図５（ｂ）に示されるように、トレー１０１とケース１０４との相対的位置関係が、例えば光ディスク等に対して記録又は再生が行われるロード状態である場合、トレー１０１に搭載された駆動ユニット１０２の底面の大部分は、弾性部３０１と接触することができる。【００５８】
その結果、駆動ユニット１０２から、該駆動ユニットより熱伝導率の高い弾性部３０１へと放熱される（図５（ｂ）における下向き矢印を参照）。【００５９】
特に、第３実施例においては、例えばユーザの手動によってロード状態になるように、トレー１０１が押し込まれた場合、弾性部３０１においてトレー１０１の速度を吸収することが可能となる。【００６０】
（４）  ディスクドライブ装置の第４実施例の一及び他の具体例
（４−１）  構成及び動作原理
次に、図６及び図７を参照しながら、本発明のディスクドライブ装置に係る第４実施例の構成及び動作原理について説明する。ここに、図６は、本発明のディスクドライブ装置に係る第４実施例の一具体例に係るアンロード状態（図６（ａ））と、ロード状態（図６（ｂ））とにおけるトレー及びケースの相対的な位置関係を図式的に示した部分的断面図である。図７は、本発明のディスクドライブ装置に係る第４実施例の他の具体例に係るアンロード状態と、ロード状態とにおけるトレー及びケースの相対的な位置関係を図式的に示した水平断面図（図７（ａ）、及び図７（ｂ））、並びにロード状態におけるトレー及びケースの相対的な位置関係を図式的に示した垂直断面図（図７（ｃ））である。第４実施例の一及び他の具体例に係る構成については、第１実施例と概ね同様である。【００６１】
特に、第４実施例の一の具体例においては、図６（ａ）及び図６（ｂ）に示されるように、本発明の「熱伝導率の大きな部材」の一例を構成するカバー４０１、及び、本発明の「弾性体」の他の一例を構成する弾性部４０２を備えて構成されている。【００６２】
従って、図６（ｂ）に示されるように、トレー１０１とケース１０４との相対的位置関係が、例えば光ディスク等に対して記録又は再生が行われるロード状態である場合、トレー１０１に搭載された駆動ユニット１０２を覆うカバー４０１は、弾性部４０２と接触することができる。【００６３】
その結果、駆動ユニット１０２から、カバー４０１を介して、該駆動ユニットより熱伝導率の高い弾性部４０２へと放熱される。尚、図６（ｂ）における矢印において、熱の流れる向きが示されている。【００６４】
加えて、第４実施例の一具体例においては、例えばユーザの手動によってロード状態になるように、トレー１０１が押し込まれた場合、弾性部４０２においてトレー１０１の速度を吸収することが可能となる。【００６５】
或いは、特に、第４実施例の他の具体例においては、図７（ａ）、図７（ｂ）、及び図７（ｃ）に示されるように、前述したカバー４０１と、例えば３つ等の複数の弾性部４０２とを備えて構成されている。詳細には、カバー４０１の形状を、側面、及び上面へと伸張させ、ケース１０４本体の内壁において、両側面に、２つの弾性部４０２を設け、上面に１つの弾性部４０２を設けている。【００６６】
従って、図７（ｂ）に示されるように、トレー１０１とケース１０４との相対的位置関係が、例えば光ディスク等に対して記録又は再生が行われるロード状態である場合、トレー１０１に搭載された駆動ユニット１０２を覆うカバー４０１は、その両側面、又は片側面において、弾性部４０２と接触することができる。加えて、図７（ｃ）に示されるように、カバー４０１は、上面において、弾性部４０２と接触するようにしてもよい。【００６７】
その結果、駆動ユニット１０２から、カバー４０１を介して、該駆動ユニットより熱伝導率の高い、複数の弾性部４０２へと放熱される。このように、複数の弾性部４０２を介して、壁面に対して放熱するだけでなく、上面や側面に対しても放熱することが可能となるので、放熱効果をより高めることが可能となる。尚、図７（ｂ）、及び図７（ｃ）における矢印において、熱の流れる向きが示されている。【００６８】
加えて、第４実施例の他の具体例においては、トレー１０１の摺動方向に弾性部４０２を設けないで、両側面や上面に弾性部４０２を設けるので、ディスクドライブ装置内の省スペース化を実現することが可能となる。【００６９】
（５）  ディスクドライブ装置の第５実施例
（５−１）  構成及び動作原理
次に、図８を参照しながら、本発明のディスクドライブ装置に係る第５実施例の構成及び動作原理について説明する。ここに、図８は、本発明のディスクドライブ装置に係る第５実施例のアンロード状態（図８（ａ））と、ロード状態（図８（ｂ））とにおけるトレー及びケースの相対的な位置関係を図式的に示した部分的断面図である。第５実施例に係る構成については、第１実施例と概ね同様である。【００７０】
特に、第５実施例においては、図８（ａ）及び図８（ｂ）に示されるように、所定の場所を支点として可動であると共に、前記発熱部品を挟持可能である挟持部５０１を備えて構成されている。この挟持部５０１は、ケース１０４に固定された支点５０２を支点として可動するように構成されている。【００７１】
従って、図８（ｂ）に示されるように、トレー１０１とケース１０４との相対的位置関係が、例えば光ディスク等に対して記録又は再生が行われるロード状態である場合、トレー１０１と該トレー１０１に搭載された駆動ユニット１０２とは、挟持部５０１によって挟持されつつ、該挟持部５０１と接触することができる。【００７２】
その結果、駆動ユニット１０２から、挟持部５０１へと放熱される。尚、図８（ｂ）における矢印において、熱の流れる向きが示されている。【００７３】
特に、第５実施例においては、例えばユーザの手動によってロード状態になるように、トレー１０１が押し込まれた場合、挟持部５０１においてトレー１０１の速度を吸収することが可能となる。また、挟持部５０１の構造上、トレー１０１及び駆動ユニット１０２をより確実に固定することが可能となる。【００７４】
尚、上述した実施例では、ディスクドライブ装置の一例として、例えば薄型ノート型パソコンの内蔵用ディスクドライブ装置として採用されているドロワー型ディスクドライブ装置について説明した。しかし、本発明は、このようなディスクドライブ装置に限られるものではなく、相対的に動く発熱部品と、熱伝導部品とによって構成される全ての電子機器に適用可能である。【００７５】
本発明は、上述した実施例に限られるものではなく、請求の範囲及び明細書全体から読み取れる発明の要旨或いは思想に反しない範囲で適宜変更可能であり、そのような変更を伴なうディスクドライブ装置もまた本発明の技術的範囲に含まれるものである。
【産業上の利用可能性】
【００７６】
本発明に係るディスクドライブ装置、及び該ディスクドライブ装置の制御方法は、例えば、光ピックアップを制御する集積回路等の発熱部品の温度上昇を低減することに利用可能である。
【図１】
0004610016.tif 000002
【図２】
0004610016.tif 000003
【図３】
0004610016.tif 000004
【図４】
0004610016.tif 000005
【図５】
0004610016.tif 000006
【図６】
0004610016.tif 000007
【図７】
0004610016.tif 000008
【図８】
0004610016.tif 000009